(57)【要約】      （修正有）【課題】軽度の衝撃で割れる心配がなく、また、少しぼやけた落ち着きのある雰囲気に光り、さらに、ランプカバー全体を均一に光らせることができるマーカーランプを提供する。【解決手段】光透過性を有するシリコーンゴム製のランプカバー１を備え、その内部に、基板２上に複数のＬＥＤ６を配した光源と、該光源からの光を拡散する拡散レンズ３とを設けたマーカーランプである。ランプカバー１は、下面を開口したドーム状であり、前記開口の周縁部から頂部に向かって肉厚が漸次薄くなり、前記頂部において最も肉厚を薄くする。また、光源は基板上に複数のＬＥＤを同心の内外二重の輪状に配列してなると共に、拡散レンズは前記光源において外側に配列された輪状のＬＥＤ群の直上に輪状の凸レンズ部を形成してなる。さらに、凸レンズ部は内側のみを断面円弧状の曲面として、外側を垂直面とした。【選択図】図３
0003205117.tif 000002
【実用新案登録請求の範囲】
【請求項１】
光透過性を有するシリコーンゴム製のランプカバーを備え、その内部に、基板上に複数のＬＥＤを配した光源と、該光源からの光を拡散する拡散レンズとを設けたことを特徴とするマーカーランプ。
【請求項２】
ランプカバーは、下面を開口したドーム状であり、前記開口の周縁部から頂部に向かって肉厚が漸次薄くなり、前記頂部において最も肉厚を薄くした請求項１記載のマーカーランプ。
【請求項３】
シリコーンゴムは半透明の乳白色である請求項１または２記載のマーカーランプ。
【請求項４】
光源は基板上に複数のＬＥＤを同心の内外二重の輪状に配列してなると共に、拡散レンズは前記光源において外側に配列された輪状のＬＥＤ群の直上に輪状の凸レンズ部を形成してなる請求項１、２または３記載のマーカーランプ。
【請求項５】
凸レンズ部は内側のみを断面円弧状の曲面として、外側を垂直面とした請求項４記載のマーカーランプ。
【請求項６】
ＬＥＤは表面実装型である請求項１から５のうち何れか一項記載のマーカーランプ。
【考案の詳細な説明】
【技術分野】
【０００１】
この考案は、主としてトラックやバス等の大型車両に取り付ける車外灯に係り、ランプカバーをシリコーンゴム等の柔軟素材で成型した新規なマーカーランプに関するものである。
【背景技術】
【０００２】
トラックやバス等の大型車両では、夜間、歩行者や他の車に車両の存在や大きさを認識させて事故を防止したり、運転手に対しても車両感覚を与えるために、ヘッドライトやテールランプとは別に、車体の左右両側面にマーカーランプなる車外灯を取り付けている。
【０００３】
このマーカーランプは、より古くは電球を光源として用いていたが、近年では、省電力で長寿命なＬＥＤ（発光ダイオード）が用いられるようになっている。しかし、ＬＥＤは点光源として指向性が高い。
【０００４】
そこで、従来、ランプカバーにいわゆるダイヤカットと言われる多面カットを施し、光を拡散させるようにしたマーカーランプがあった（特許文献１）。
【先行技術文献】
【特許文献】
【０００５】
【特許文献１】登録実用新案第３０４２２９５号公報
【考案の概要】
【考案が解決しようとする課題】
【０００６】
従来、マーカーランプのランプカバーは硬質なプラスチックで出来ていたため、軽度の接触で割れてしまうという問題があった。
【０００７】
また、マーカーランプは車両の装飾目的を兼ねる場合もあるが、特許文献１のような多面カットを施したランプカバーではギラギラした光となり、これを好まないユーザーにとってマーカーランプの選択の幅が狭かった。
【課題を解決するための手段】
【０００８】
上述した課題を解決するために本考案では、光透過性を有するシリコーンゴム製のランプカバーを備え、その内部に、基板上に複数のＬＥＤを配した光源と、該光源からの光を拡散する拡散レンズとを設けるという手段を用いた。
【０００９】
上記手段によれば、ランプカバーがシリコーンゴム製であるので、軽度の衝撃で割れる心配がない。また、このシリコーンゴムが有する光透過性によって半透明なランプカバーとなり、少しぼやけた落ち着きのある雰囲気に光る。さらに、本考案では拡散レンズによってＬＥＤ光源の光を拡散させるため、ランプカバー全体を均一に光らせることができる。
【００１０】
また、ランプカバーは、下面を開口したドーム状であり、前記開口の周縁部から頂部に向かって肉厚が漸次薄くなり、前記頂部において最も肉厚を薄くすることによって、衝撃が加わったときは、その応力を肉厚が最も薄い頂部にて吸収でき、より割れにくいランプカバーとすることができる。
【００１１】
さらに、シリコーンゴム（ランプカバー）は半透明の乳白色であることが好ましい。これによって、ＬＥＤの発光色に従った色によってランプカバー全体がぼやけた感じで光るからである。
【００１２】
一方、光源を基板上に複数のＬＥＤを同心の内外二重の輪状に配列して構成することで、照度を高めることができ、拡散レンズを前記光源において外側に配列された輪状のＬＥＤ群の直上に凸レンズ部を形成して構成することで、外側の輪状ＬＥＤ群の光を拡散して、ランプカバーをよりムラなく均一に光らせることができる。
【００１３】
また、凸レンズ部は内側のみを円弧状の曲面として、外側を垂直面とすれば、ＬＥＤから垂直面に入射する斜めの光が、ほぼそのまま側方に出射され、照度不足になりやすいランプカバーの基部側方の照度を確保することができる。
【００１４】
さらにまた、ＬＥＤに表面実装型（ＳＭＤ）を採用することで、砲弾型よりも広い指向性によって、光ムラを抑え、また、砲弾型よりも実装の高さも低く抑えることができて、薄型の光源とすることができる。
【考案の効果】
【００１５】
本考案では、ランプカバーがシリコーンゴム製であるので、割れにくく、しかも、落ち着いた光を放つマーカーランプを提供することができた。
【００１６】
また、光源はＬＥＤであるので、省電力且つ長寿命であり、しかも、拡散レンズによって光ムラも軽減され、ランプカバー全体が落ち着いた明るさで均一に光るマーカーランプとすることができた。
【図面の簡単な説明】
【００１７】
【図１】本考案の一実施形態に係るマーカーランプの分解斜視図
【図２】同、分解断面図
【図３】同、組み状態の断面図
【図４】同、Ａ−Ａ線断面図
【図５】同、光の向きを模式的に示した説明図
【考案を実施するための形態】
【００１８】
以下、本考案の好ましい実施の形態を添付した図面に従って説明する。図１は、本考案の一実施形態に係るマーカーランプの分解斜視図であって、１はランプカバー、２は基板、３は拡散レンズ、４は基板２及び拡散レンズ３の取付ベース、５はランプカバー１の装着リングである。
【００１９】
ランプカバー１は、図２に示すように、下面を開口したドーム状をなしており、その素材は光透過性を有したシリコーンゴムである。この実施形態においてランプカバー１は、図３に示すように、下面開口部１ａの周縁に装着リング５によって係止されるテーパ状の取付基部１ｂを設けており、該取付基部１ｂから頂部１ｃに向かって肉厚が漸次薄くなるように成型し、頂部１ｃの肉厚を最も薄くしている。また、下面には位置決めのための凸条部１ｄを設けている
【００２０】
基板２は、円形であり、その上面には光源となるＬＥＤ６・・・６を配している。この実施形態において光源は、ＬＥＤに表面実装型を採用し、図４に示すように、６つのＬＥＤ群を輪状に配列した内側光源６Ａと、その外側に８つのＬＥＤ群を輪状に配列した外側光源６Ｂとを同心上に構成している。
【００２１】
拡散レンズ３は、円形の平面レンズ部３ａの上面に輪状の凸レンズ部３ｂを突設したもので、その下側には基板２の収容空間３ｃを有して、全体をアクリル樹脂やガラスなどの透明素材によって成型している。また、この実施形態において凸レンズ部３ｂは、内側を断面円弧状の曲面部３ｄとして、外側は垂直面３ｅである半割状の構成としている。
【００２２】
取付ベース４は、円盤状の底部４ａの周縁に雄ネジ部４ｂを設けると共に、その内側にランプカバー１の凸条部１ｄを嵌合する環状溝４ｃを設けている。そして、底部４ａの上面の対向位置には二本の取付ピン部４ｄを突設している。図３に示したように、この取付ピン部４ｄに基板２の切欠き２ａを嵌め込んだうえで拡散レンズ３を被せ、ビス７止めすることで、基板２と拡散レンズ３を取付ベース４に固定することができる。
【００２３】
そして、装着リング５は、内側に取付ベース４の雄ネジ部４ｂに螺合する雌ネジ部５ａを有した袋ナット状であり、上述のように基板２・拡散レンズ３を固定し、ランプカバー１を位置決めした後の取付ベース４に前記螺合することによって図３に示した組み立てが完了する。
【００２４】
なお、装着リング５には、取付ベース４の底部４ａの周面一箇所に側方からビス止めする突片５ｂを設けており、当該ビス止めによって、走行中の振動などで装着リング５が取付ベース４への装着方向とは逆向きに回転することを規制して、装着リング４の緩みを防止すると共に、引いては、ランプカバー１の脱落を防止している。
【００２５】
上記実施形態に係るマーカーランプによれば、ランプカバー１がシリコーンゴムからなるため、当該ランプを車両の所望箇所に取り付けて使用した際、軽度の接触や衝撃ではランプカバー１は割れない。また、ランプカバー１の肉厚を頂部１ｃに向かって漸次薄くなるように成型しているため、より強い衝撃が加わった場合には、ランプカバ−１が大きく変形して、その衝撃力を吸収し、ランプカバー１の破損も防止される。
【００２６】
さらに、ランプカバー１はシリコーンゴムが有する光透過性によって半透明なカバーとなり、ここから照射される光は、ややぼやけた雰囲気となる。したがって、ギラギラした光を好まないユーザーに、ＬＥＤを光源としながら、落ち着いた光を放つマーカーランプを提供することができる。しかも、乳白色のシリコーンゴムによってランプカバー１を成型すれば、光源であるＬＥＤの発光色に従った色にランプカバー１を光らせることができる。したがって、異なった色のマーカーランプを用意する場合、ランプカバー１については半透明で乳白色のものを共通部材として、ＬＥＤのみを変更するだけでよい。
【００２７】
そして、上記実施形態に係るマーカーランプの照射態様は、概ね図５に示した通りである。特に、外側光源６Ｂからの光は拡散レンズ３の凸レンズ部３ｂで拡散され、指向性を有するＬＥＤにおいて照度不足となりやすいランプカバー１の側方からも放射されることになる。
【００２８】
また、この実施形態では、ＬＥＤに表面実装型を採用したので、砲弾型よりも指向性が広く、内側光源６Ａからの光も拡散レンズ３の平面レンズ部３ａに角度をもって入射した後、平面レンズ部３ａで外方に拡散される。したがって、全体としてランプカバー１を光ムラが少ない、より均一な状態で光らせることができる。
【００２９】
なお、本考案は上記実施形態に限定されない。即ち、主な変更点としては、ランプカバー１は全部を均一な肉厚としてもよく、この場合でも従来のプラスチック製カバーよりも割れにくいカバー構成として本考案の解決課題を解消することができる。また、光源となるＬＥＤの数や配置も変更でき、砲弾型のＬＥＤを採用したり、表面実装型その他の形状のＬＥＤと混在させて光源を構成することもできる。さらに、拡散レンズ３についても、構造的には平面レンズ部３ａを有することが好ましいが、光学的には当該平面レンズ部３ａを割愛して空洞とし、凸レンズ部３ｂによるドーナツ状の拡散レンズとすることも可能である。
【符号の説明】
【００３０】
１  ランプカバー
１ａ  下面開口部
１ｂ  取付基部
１ｃ  頂部
１ｄ  凸条部
２  基板
２ａ  切欠き
３  拡散レンズ
３ａ  平面レンズ部
３ｂ  凸レンズ部
３ｃ  収容空間
３ｄ  曲面部
３ｅ  垂直面
４  取付ベース
４ａ  底部
４ｂ  雄ネジ部
４ｃ  環状溝
４ｄ  取付ピン部
５  装着リング
５ａ  雌ネジ部
５ｂ  突片
６  ＬＥＤ
６Ａ  内側光源
６Ｂ  外側光源
７  ビス
【図１】
0003205117.tif 000003
【図２】
0003205117.tif 000004
【図３】
0003205117.tif 000005
【図４】
0003205117.tif 000006
【図５】
0003205117.tif 000007